(57)【要約】【課題】従来装置は、本来の位置にない偽のＳＹＮＣ信号が現れた場合の対策として、光ディスクから読み出したＲＦ信号を基にして保護回路を設けているが、ＲＦ信号自体に問題があった場合には所期の目的を十分に達成することができない。【解決手段】アドレス検出回路１４は光ディスクから得た再生信号からウォブル信号を抽出し、そのウォブル信号からアドレス情報を検出する。マスク信号生成回路１５は、検出されたアドレス情報から光ディスクに同期コードが記録されていると予測される時間位置を中心とする一定範囲において所定論理値となるマスク信号を生成する。ＳＹＮＣ／ＤＡＴＡ検出回路２は、光ディスクの再生ＲＦ信号から同期コードを検出してＳＹＮＣパルスを出力する。ＳＹＮＣパルス選択回路１６は、マスク信号が所定論理値で、かつ、イネーブル信号の入力期間にＳＹＮＣパルスを同期コード検出パルスとしてゲート出力する。【選択図】図１
2008071444.tif 000002
【特許請求の範囲】
【請求項１】
情報が予め定めた複数フレームからなるセクタ単位で、かつ、各フレームの先頭に同期を取るための第１の同期コードが挿入され、各セクタの先頭に第２の同期コードが挿入されたフォーマットで変調処理されてＲＦ信号の形態でトラックに記録されると共に、物理的位置を示すアドレス情報が前記トラックを蛇行させたウォブル信号により予め記録形成されている光ディスクに対して、光ピックアップからレーザ光を照射することにより前記光ディスクから得られる反射光を光電変換して得た再生信号に基づいて、前記情報を復号再生する光ディスク装置であって、
前記光ディスクから得た前記再生信号から前記ウォブル信号を抽出し、そのウォブル信号から前記アドレス情報を検出するアドレス検出手段と、
検出された前記アドレス情報から前記第１の同期コード又は前記第２の同期コードが記録されていると予測される時間位置を中心とする一定範囲において所定論理値となるマスク信号を生成するマスク信号生成手段と、
前記光ディスクから得た前記再生信号中のＲＦ信号から前記第１の同期コード又は前記第２の同期コードを検出してＳＹＮＣパルスを出力する同期コード検出手段と、
前記マスク信号及び前記ＳＹＮＣパルスと、外部から任意に設定入力されるイネーブル信号とを入力として受け、前記マスク信号が前記所定論理値で、かつ、前記イネーブル信号の入力期間に前記同期コード検出手段から出力されるＳＹＮＣパルスを同期コード検出パルスとしてゲート出力するＳＹＮＣパルス選択手段と、
前記再生信号中の前記ＲＦ信号から検出した変調処理されているシンボルデータを、前記ＳＹＮＣパルス選択手段によりゲート出力された同期コード検出パルスに基づいて復調する復調手段と
を有することを特徴とする光ディスク装置。
【請求項２】
情報が予め定めた複数フレームからなるセクタ単位で、かつ、各フレームの先頭に同期を取るための第１の同期コードが挿入され、各セクタの先頭に第２の同期コードが挿入されたフォーマットで変調処理されてＲＦ信号の形態でトラックに記録されると共に、物理的位置を示すアドレス情報が前記トラックを蛇行させたウォブル信号により予め記録形成されている光ディスクに対して、光ピックアップからレーザ光を照射することにより前記光ディスクから得られる反射光を光電変換して得た再生信号に基づいて、前記情報を復号再生する光ディスク装置であって、
前記光ディスクから得た前記再生信号から前記ウォブル信号を抽出し、そのウォブル信号から前記アドレス情報を検出するアドレス検出手段と、
前記光ディスク上における現在の再生位置が前記光ディスクの記録領域か未記録領域かを示す記録／未記録信号を生成する記録／未記録信号生成手段と、
前記光ディスクから得た前記再生信号中のＲＦ信号から前記第１の同期コード又は前記第２の同期コードを検出してＳＹＮＣパルスを出力する同期コード検出手段と、
前記記録／未記録信号及び前記ＳＹＮＣパルスと、外部から任意に設定入力されるイネーブル信号とを入力として受け、前記記録／未記録信号が記録領域を示す論理値で、かつ、前記イネーブル信号の入力期間に前記同期コード検出手段から出力されるＳＹＮＣパルスを同期コード検出パルスとしてゲート出力するＳＹＮＣパルス選択手段と、
前記再生信号中の前記ＲＦ信号から検出した変調処理されているシンボルデータを、前記ＳＹＮＣパルス選択手段によりゲート出力された同期コード検出パルスに基づいて復調する復調手段と
を有することを特徴とする光ディスク装置。
【発明の詳細な説明】
【技術分野】
【０００１】
本発明は光ディスク装置に係り、特にレーザ光を用いて光ディスクから再生されたデータに基づいて誤り訂正のためのデータを復調する光ディスク装置に関する。
【背景技術】
【０００２】
一般的に、光ディスク等の情報記録媒体においては、データは誤り訂正符号やデータ識別に用いられるＩＤが付加され、所定の単位のブロック（セクタ又はクラスタ）に分けられて記録されている。セクタはさらにいくつかのフレームに分割されており、各フレームの先頭には同期を取るためのフレーム同期コード（ＳＹＮＣ）が挿入されている。
【０００３】
図７は従来の光ディスク装置におけるデータ復調回路の一例のブロック図を示す。同図において、回転する光ディスク（図示せず）に対して光ピックアップ（図示せず）からレーザ光を照射し、これにより光ディスクから反射された光が光ピックアップ内の受光検出器で受光された後所定の演算式により演算されて読み出されたＲＦ信号は、ＡＤ変換回路１に入力されてディジタルデータに変換された後、ＳＹＮＣ／ＤＡＴＡ検出回路２に入力され、ここでＲＦ信号からシンボルデータ信号を抽出すると同時に、ＲＦ信号に含まれる同期コードを検出し、ＳＹＮＣ信号として出力する。このＳＹＮＣ信号は各フレームの先頭に挿入されているフレーム同期コード、及びセクタの区切りを示す同期コードの検出信号である。
【０００４】
シンボルデータ信号とＳＹＮＣ信号は復調回路３に入力され、ＳＹＮＣ信号でタイミングを合わせながらシンボルデータ信号がバイトデータへ復調される。このバイトデータの一部分にはアドレス情報も含まれており、この一部情報をアドレス検出回路１１に出力する。アドレス検出回路１１はエラー訂正回路１２でエラー訂正を行いながらアドレスを取り出す。
【０００５】
一方、復調されたバイトデータはＳＲＡＭ制御回路４へ入力され、所定フレーム分のデータ量毎にＳＲＡＭ（Static Random Access Memory）５とＳＲＡＭＢ６に交互に記録される。ＳＹＮＣ信号はＳＲＡＭ制御回路４に供給されて２つのＳＲＡＭ５と６を交互に切り換える信号の生成に使われる他、ＳＲＡＭアドレスを補正するためのタイミング信号としても使用される。また、ＳＹＮＣ信号の中でも所定数のセクタからなるブロックの先頭部分にあるセクタのＳＹＮＣ信号（以下ＳＹ０信号という）は後段へのデータ転送の開始終了制御にも使用される。
【０００６】
すなわち、ブロックを構成する複数のセクタの各先頭位置には同期コード（ＳＹＮＣ）が挿入されており、その同期コードは複数種類（ＤＶＤでは８種類）存在し、ブロック内において予め定められた順番に従って配置されるが、上記のブロックの先頭のセクタの同期コードのみは、同じブロック内にある他のセクタの同期コードとは異なる特定の値のＳＹ０信号が配置されている。従って、ＳＹ０信号を検出することでブロックの先頭位置を識別できる。
【０００７】
データ整形回路７はＳＲＡＭ５及びＳＲＡＭ６から交互にデータを読み出し、後段のエラー訂正回路の形式に則って、バイトデータを並び替えて３２ビットのダブルワード形式に変換し、ＳＲＡＭ８に書き込む。ＳＲＡＭ５、ＳＲＡＭ６からデータを交互に読み出すタイミングは前記ＳＲＡＭ切り換え信号を使用し、ＳＲＡＭ制御回路４がＳＲＡＭ５に書き込みをしている間はＳＲＡＭ６からデータを読み出し、ＳＲＡＭ６に書き込みが行われている間はＳＲＡＭ５から読み出すという手順で行う。
【０００８】
ＳＤＲＡＭ転送回路９はデータ整形回路７から出力されるデータ転送制御信号に基づき、ＳＲＡＭ８から適宜データを読み出しながら、ＳＤＲＡＭＩＦ回路１０との間でデータ転送を行う。ＳＤＲＡＭＩＦ回路１０はエラー訂正回路その他のブロックからの図示しないＳＤＲＡＭ（Synchronous Dynamic Random Access Memory）へのデータ転送を一括して受け持ち、適正な順番でＳＤＲＡＭへの読み書き制御を行い、再生動作が滞りなく行われる。
【０００９】
以上の回路の動作手順から分かるようにＳＹ０信号を含むＳＹＮＣ信号はデータ転送において重要な役割を担っている。このＳＹＮＣ信号はＲＦ信号を基に生成されるため、光ディスク上の信号自体が劣化したり、光ディスクのディフェクト等の影響でＲＦ信号に乱れが生じた場合、あるいは光ディスク上の記録領域に挟まれた未記録領域を通過した場合等に、本来の位置にない偽のＳＹＮＣ信号が現れた場合は転送データ自体が抜けたり、並びがずれたり等の現象が起き、その結果エラーレートが悪化し、最悪の場合は訂正不能状態になる。
【００１０】
そこで、これらの不具合を解消するための対策を施した光ディスク装置などが従来、提案されている（例えば、特許文献１、２、３参照）。特許文献１記載の従来のディスク装置では、同期コードとメインデータとが記録されたディスクから読み取った読み取り信号の一部が同期コードと同一であると判定するか、又は読み取り信号の一部のシンボルと同期コードのシンボルとのずれが一定時間の範囲内に含まれると判定することで読み取り信号から同期コードを検出し、その検出した同期コードに同期して、読み取り信号を再生する構成である。この従来のディスク装置では、同期コードを安定に検出して、信頼性の高い再生処理を行おうとするものである。
【００１１】
また、特許文献２には、再生データの誤りや欠落などによってＰＬＬ回路が暴走し、データ再生クロックに乱れが発生しても、同期検出フレームアドレスの補間を正しく行うことができるようにした従来の記録再生装置が記載されている。
【００１２】
更に、特許文献３には、各々が同期信号及びデータとフレーム番号とを含む複数のフレームと、セクタ番号を含むセクタ識別情報とを含むセクタを構成単位とし、かつ変調処理されたディジタルデータを復調処理した後メモリに格納して誤り訂正を行うデータ再生装置において、ディジタルデータからセクタ識別情報を検出し、そのセクタ識別情報から得られるセクタ番号を取り込んで、そのセクタ番号に基づいてディジタルデータを前記メモリに格納するためのアドレス情報をアドレス生成手段により生成する一方、検出したセクタ識別情報に基づいてアドレス生成手段によるセクタ番号の取り込みを許可するための条件を設定し、この設定した条件を満足する場合であって、ディジタルデータから検出したフレーム番号が最大フレーム番号を含む第１のフレーム番号範囲から最小フレーム番号を含む第２のフレーム番号範囲へ変化したときにアドレス生成手段によるセクタ番号の取り込みを許可する構成の再生装置が開示されている。
【００１３】
この特許文献３記載の従来の再生装置によれば、セクタ識別情報が正しいと推定される場合にのみセクタ番号を取り込むことで、復調処理後のディジタルデータをメモリに格納するためのアドレス情報を正しく生成させることができ、特定のフレーム番号が欠落したとしても、取り込みタイミングを確実に設定して誤り訂正を行う。
【００１４】
【特許文献１】特開２００５−１４９６７３号公報
【特許文献２】特開２００４−２８８３１０号公報
【特許文献３】特開２００５−１５８１０３号公報
【発明の開示】
【発明が解決しようとする課題】
【００１５】
しかしながら、上記の特許文献１乃至３記載の従来装置は、いずれもディスクから読み出したＲＦ信号（読み取り信号）を基にして保護回路を設けたものであり、ＲＦ信号自体に問題があった場合には所期の目的を十分に達成することができない。
【００１６】
本発明は上記の点に鑑みなされたもので、ディスクから読み出したＲＦ信号（読み取り信号）自体に問題があり、ＳＹＮＣ信号に偽成分が現れたとしても、エラーレートの悪化を防止可能な光ディスク装置を提供することを目的とする。
【課題を解決するための手段】
【００１７】
上記の目的を達成するため、第１の発明は、情報が予め定めた複数フレームからなるセクタ単位で、かつ、各フレームの先頭に同期を取るための第１の同期コードが挿入され、各セクタの先頭に第２の同期コードが挿入されたフォーマットで変調処理されてＲＦ信号の形態でトラックに記録されると共に、物理的位置を示すアドレス情報がトラックを蛇行させたウォブル信号により予め記録形成されている光ディスクに対して、光ピックアップからレーザ光を照射することにより光ディスクから得られる反射光を光電変換して得た再生信号に基づいて、情報を復号再生する光ディスク装置であって、光ディスクから得た再生信号からウォブル信号を抽出し、そのウォブル信号からアドレス情報を検出するアドレス検出手段と、検出されたアドレス情報から第１の同期コード又は第２の同期コードが記録されていると予測される時間位置を中心とする一定範囲において所定論理値となるマスク信号を生成するマスク信号生成手段と、光ディスクから得た再生信号中のＲＦ信号から第１の同期コード又は第２の同期コードを検出してＳＹＮＣパルスを出力する同期コード検出手段と、マスク信号及びＳＹＮＣパルスと、外部から任意に設定入力されるイネーブル信号とを入力として受け、マスク信号が所定論理値で、かつ、イネーブル信号の入力期間に同期コード検出手段から出力されるＳＹＮＣパルスを同期コード検出パルスとしてゲート出力するＳＹＮＣパルス選択手段と、再生信号中のＲＦ信号から検出した変調処理されているシンボルデータを、ＳＹＮＣパルス選択手段によりゲート出力された同期コード検出パルスに基づいて復調する復調手段とを有することを特徴とする。
【００１８】
この発明では、光ディスクから得た再生ＲＦ信号から検出された第１の同期コード又は第２の同期コードを検出してＳＹＮＣパルスを出力する一方、ウォブル信号から検出したアドレス情報から第１の同期コード又は第２の同期コードが記録されていると予測される時間位置を中心とする一定範囲において所定論理値となるマスク信号を生成し、そのマスク信号が所定論理値で、かつ、イネーブル信号入力期間において、上記のＳＹＮＣパルスを同期コード検出パルスとしてゲート出力するようにしたため、再生ＲＦ信号自体の問題により本来再生されるべき時間位置以外の位置で誤検出される偽のＳＹＮＣパルスを排除することができる。
【００１９】
また、上記の目的を達成するため、第２の発明は、第１の発明におけるマスク信号生成手段に替えて、光ディスク上における現在の再生位置が光ディスクの記録領域か未記録領域かを示す記録／未記録信号を生成する記録／未記録信号生成手段を設け、ＳＹＮＣパルス選択手段を、記録／未記録信号及びＳＹＮＣパルスと、外部から任意に設定入力されるイネーブル信号とを入力として受け、記録／未記録信号が記録領域を示す論理値で、かつ、イネーブル信号の入力期間に同期コード検出手段から出力されるＳＹＮＣパルスを同期コード検出パルスとしてゲート出力する構成としたことを特徴とする。
【００２０】
この発明では、光ディスクから得た再生ＲＦ信号から検出された第１の同期コード又は第２の同期コードを検出してＳＹＮＣパルスを出力する一方、記録／未記録信号が記録領域を示す論理値で、かつ、イネーブル信号の入力期間に入力される上記のＳＹＮＣパルスを同期コード検出パルスとしてゲート出力するようにしたため、未記録領域の存在によって本来再生されるべき時間位置以外の位置で誤検出される偽のＳＹＮＣパルスを排除することができる。
【発明の効果】
【００２１】
本発明によれば、再生ＲＦ信号品質の劣化や、光ディスク上のディフェクト等による再生ＲＦ信号の乱れなどの再生ＲＦ信号自体の問題により、あるいは記録領域に挟まれた未記録領域の存在によって、本来再生されるべき時間位置以外の位置で誤検出される偽のＳＹＮＣパルスを排除するようにしたため、再生ＲＦ信号自体に問題があったとしてもエラーレートの悪化等を防ぐことができる。
【発明を実施するための最良の形態】
【００２２】
次に、本発明の各実施の形態を図面と共に説明する。
【００２３】
（第１の実施の形態）
図１は本発明になる光ディスク装置の第１の実施の形態のブロック図を示す。同図中、図７と同一構成部分には同一符号を付し、その説明を省略する。図１と図７とを比較すると、本実施の形態では、ＡＤ変換回路１３と、アドレス検出回路１４と、マスク信号生成回路１５と、ＳＹＮＣパルス選択回路１６とが図７の従来装置に新たに設けられている。
【００２４】
ここで、本実施の形態で記録／再生する光ディスクは図２の部分拡大斜視図に示すように、光ディスク２０のトラック幅方向に一定ピッチでグルーブ２１とランド２２とが交互に凹凸状に形成されていると共に、グルーブ２１とランド２２との境界の側壁が所定の一定周波数（ウォブリング周波数）で僅かに蛇行している（ウォブルが形成されている）。ウォブリング周波数は光ディスクの回転速度に対応する値に設定されており、このウォブルの再生信号周波数に基づいて光ディスクの回転速度が制御される。
【００２５】
グルーブ２１は光の入射方向から見て凸部分であり、ランド２２は凹部分である。記録／再生時には図２に示すように、レーザ光による光スポット２３の中心がグルーブ２１のトラック幅方向の中心に一致するようにトラッキング制御されると共に、グルーブ２１とその両側のランド２２の各一部にかかる大きさで形成される光スポット２３により、所望の情報（バイトデータ）が変調されてシンボルデータとされた後更にＲＦ信号の形態でグルーブ２１に対して記録され、また再生される。
【００２６】
この情報は、例えば、所定の情報単位毎のシンボルデータの先頭に固定パターンのフレーム同期コード（ＳＹＮＣ）が付加されたシンクフレームとされ、第１の所定個数のシンクフレームにより１セクタを構成し、更に第２の所定個数のセクタにより１ＥＣＣ（Error Correcting Code）ブロックを構成するフォーマットで変調処理されてＲＦ信号の形態で光ディスクに記録される。なお、ＥＣＣブロック単位で計算された誤り訂正符号も記録される。
【００２７】
また、上記のセクタの区切りを示す位置にも予め定めた複数種類の同期コードのうち予め定められた順番に従って一種類の同期コードが記録される。１ＥＣＣブロックの先頭のセクタの同期コードが前述したＳＹ０である。セクタは固定長であるので、セクタの同期コードが記録されている物理アドレスが分かれば、次のセクタの同期コードの記録位置を推定できる。
【００２８】
また、光ディスク上におけるトラックの物理的な位置を示す絶対アドレス情報は、上記のウォブルに埋め込まれている。例えば、このアドレス情報は、図３に示すように、６.５周期の正弦波ウォブルについて位相１８０°のときデータが”１”、位相０°のときデータが”０”である２値データにより記録されている。固定長のブロック単位で記録されるデータの記録開始位置はアドレス情報に基づいて定められるので、前記同期コードの記録位置はアドレス情報から予測可能となる。
【００２９】
再び図１に戻って説明する。図示しない光ディスクのトラックに形成された上記のウォブルが光ピックアップにより再生された再生信号中からウォブル信号（Wobble信号）として抽出され、そのウォブル信号がＡＤ変換回路１３に供給され、ここでディジタルデータに変換される。上記のウォブルには光ディスク上の絶対物理アドレス情報が変調されて記録されているので、ＡＤ変換されたディジタルデータは光ディスク上の絶対物理アドレス情報を有しており、アドレス検出回路１４に入力され、ここで絶対物理アドレス情報が復調される。マスク信号生成回路１５はアドレス検出回路１４からの絶対物理アドレス情報と、それを基にした慣性カウンタによって本来ＳＹＮＣパルスがあるべき位置を中心とする設定した任意のパルス幅のマスク信号が生成される。
【００３０】
ＳＹＮＣパルス選択回路１６には、ＳＹＮＣ／ＤＡＴＡ検出回路２でＲＦ信号から検出された、前述した各フレームシンクの先頭にある同期コード及び各セクタの先頭にある同期コードのそれぞれを検出して得られたＳＹＮＣパルスと、マスク信号生成回路１５からのマスク信号の他、外部からイネーブル信号が入力される。このイネーブル信号はユーザーによってＣＰＵ（中央処理装置）等のレジスタ設定等により生成される信号である。ＳＹＮＣパルス選択回路１６は、この３つの入力信号の論理演算を行ってＳＹＮＣパルスを選択して復調回路３及びＳＲＡＭ制御回路４へそれぞれ出力する。
【００３１】
次に、このＳＹＮＣパルス選択回路１６の動作について図４のタイミングチャートを参照して更に詳細に説明する。ＳＹＮＣパルス選択回路１６は、ＳＹＮＣ／ＤＡＴＡ検出回路２でＲＦ信号から検出された図４（Ａ）に示すＳＹＮＣパルスと、マスク信号生成回路１５から出力される同図（Ｃ）に示すマスク信号と、ユーザーによってＣＰＵ（中央処理装置）等のレジスタ設定等により生成されて外部から供給される同図（Ｂ）に示すイネーブル信号とを入力として受け、マスク信号とイネーブル信号との論理値の組み合わせによって同図（Ａ）に示す入力ＳＹＮＣパルスを選択して同図（Ｄ）に示すように出力する。
【００３２】
ここで、図４（Ａ）はＳＹＮＣ／ＤＡＴＡ検出回路２でＲＦ信号から検出されたＳＹＮＣパルスを示し、黒丸のついているパルスが本来再生されるべき位置で検出された正規のＳＹＮＣパルスであり、それ以外はＳＹＮＣ／ＤＡＴＡ検出回路２からＲＦ信号自体に問題があるために、本来再生されるべき位置以外に誤って検出された偽のＳＹＮＣパルスである。この正規のＳＹＮＣパルスの出力時間位置を中心とする一定範囲に、図４（Ｃ）に示すようにハイレベル（論理値”１”）のマスク信号が存在する。
【００３３】
ＳＹＮＣパルス選択回路１６は、図４（Ｂ）に示すイネーブル信号が“０”のときは、入力ＳＹＮＣパルスをそのまま選択出力するので、同図（Ａ）に示す正規のＳＹＮＣパルスだけでなく、ＲＦ信号自体に問題があるためにＳＹＮＣ／ＤＡＴＡ検出回路２の誤検出により偽ＳＹＮＣパルスが出力されるときには、その偽ＳＹＮＣパルスもＳＹＮＣパルス選択回路１６から出力されてしまう。
【００３４】
一方、ＳＹＮＣパルス選択回路１６は、イネーブル信号が“１”のときには、マスク信号が論理値”１”のとき、すなわち、正規のＳＹＮＣパルスの出力時間位置を中心とする一定範囲のときの入力ＳＹＮＣパルスを選択出力（ゲート出力）するので、図４（Ａ）に示す偽ＳＹＮＣパルスａ１、ａ２は同図（Ｄ）に示すようにＳＹＮＣパルス選択回路１６から出力されず、除去することができ、正規のＳＹＮＣパルスのみ出力することができる。これにより、光ディスク上の信号自体が劣化したり、光ディスクのディフェクト等の影響でＲＦ信号に乱れが生じた場合等のＲＦ信号自体に問題がある場合の復調回路３等の後段回路の誤動作を防ぐことができ、エラー無しにデータを復調、再生することが可能となる。
【００３５】
また、マスク信号はＳＹＮＣ信号生成元のＲＦ信号とは別系統のウォブル信号を基に生成されているため、ＲＦ信号の劣化やディフェクト等によるＲＦ信号の悪化の影響を受けづらく、正規のＳＹＮＣパルスを正確に選択できる。
【００３６】
なお、原理的にはイネーブル信号がなくても、マスク信号だけでＳＹＮＣパルスを選択することも可能であるが、イネーブル信号はユーザーにより任意に外部から設定入力可能な信号であり、イネーブル信号によりユーザーが必要に応じてＳＹＮＣパルスの選択／非選択を切り替えることができる。
【００３７】
（第２の実施の形態）
図５は本発明になる光ディスク装置の第２の実施の形態のブロック図を示す。同図中、図７と同一構成部分には同一符号を付し、その説明を省略する。本実施の形態は、ＳＹＮＣパルス選択回路１７を図７に示した従来装置に追加した点に特徴がある。ＳＹＮＣパルス選択回路１７にはＳＹＮＣ／ＤＡＴＡ検出回路２でＲＦ信号から検出されたＳＹＮＣパルスと、光ディスク上の記録／未記録の状態を示す記録／未記録信号と、外部の制御回路等からイネーブル信号とが入力される。
【００３８】
光ディスク上の記録／未記録の状態を示す記録／未記録信号は記録領域が“１”、未記録領域が“０”として出力されている。この記録／未記録信号は、図示しないアナログＦＥＰ回路（又はＬＳＩ）で再生信号に基づいて生成される信号である。ＳＹＮＣパルス選択回路１７は、この３つの入力信号の論理演算を行ってＳＹＮＣパルスを選択して復調回路３及びＳＲＡＭ制御回路４へそれぞれ出力する。
【００３９】
次に、このＳＹＮＣパルス選択回路１７の動作について図６のタイミングチャートを参照して更に詳細に説明する。ＳＹＮＣパルス選択回路１７は、ＳＹＮＣ／ＤＡＴＡ検出回路２でＲＦ信号から検出された図６（Ａ）に示すＳＹＮＣパルスと、外部の制御回路等から供給される同図（Ｂ）に示すイネーブル信号と、同図（Ｃ）に示す記録／未記録信号とを入力として受け、イネーブル信号と記録／未記録信号の論理値の組み合わせによって、同図（Ａ）に示す入力ＳＹＮＣパルスを選択して同図（Ｄ）に示すように出力する。
【００４０】
ここで、図６（Ａ）はＳＹＮＣ／ＤＡＴＡ検出回路２でＲＦ信号から検出されたＳＹＮＣパルスを示し、黒丸のついているパルスが正規のＳＹＮＣパルスであり、それ以外はＲＦ信号自体に問題があるためにＳＹＮＣ／ＤＡＴＡ検出回路２で誤って検出された偽のＳＹＮＣパルスである。図６（Ｂ）に示すイネーブル信号が“０”のときは、ＳＹＮＣパルス選択回路１７は、記録／未記録信号の論理値に関係なく、入力ＳＹＮＣパルスをそのまま出力するので、同図（Ａ）に示す正規のＳＹＮＣパルスが同図（Ｄ）に示すように出力されるが、このとき偽ＳＹＮＣパルスが存在する場合は、その偽ＳＹＮＣパルスもそのままＳＹＮＣパルス選択回路１７から出力されてしまう。
【００４１】
これに対し、イネーブル信号が“１”のときには、ＳＹＮＣパルス選択回路１７は、図６（Ｃ）に示す記録／未記録信号の論理値が”０”のとき、すなわち、光ディスクの未記録領域の再生時には、ＲＦ信号が再生されないのでＳＹＮＣパルスも再生されないため、入力ＳＹＮＣパルスを選択出力せず、記録／未記録信号の論理値が”１”のとき、すなわち、光ディスクの記録領域の再生時には入力ＳＹＮＣパルスを選択出力（ゲート出力）する。
【００４２】
これにより、ＳＹＮＣパルス選択回路１７は、図６（Ｄ）に示すように、イネーブル信号を“１”にすることによって、記録／未記録信号の論理値が”０”であるときの未記録領域で出現する図６（Ａ）中の偽ＳＹＮＣパルスａ１、ａ２を出力せず、除去することができ、記録／未記録信号の論理値が”１”であるときの記録領域で出現する入力ＳＹＮＣパルスをそのまま選択出力する。
【００４３】
このようにして、本実施の形態によれば、再生用光スポットが光ディスク上の記録領域に挟まれた未記録領域を通過した場合等のＲＦ信号自体に問題がある場合の復調回路３等の後段回路の誤動作を防ぐことができ、エラー無しにデータを復調、再生することが可能となる。
【００４４】
なお、原理的にはイネーブル信号がなくても、記録／未記録信号だけでＳＹＮＣパルスを選択することも可能であるが、イネーブル信号はユーザーにより任意に外部から設定入力可能な信号であり、イネーブル信号によりユーザーが必要に応じてＳＹＮＣパルスの選択／非選択を切り替えることができる。また、本実施の形態では記録領域に現れる偽ＳＹＮＣパルスは除去できないが、第１の実施の形態と組み合わせることにより、偽ＳＹＮＣパルスのより効果的な除去が可能となる。
【００４５】
なお、本発明が記録／再生する光ディスクは上記の実施の形態に限定されず、データをグルーブとランドの両方に記録し再生するようにしてもよく、またアドレス情報は、ウォブルに埋め込まず、ランドの所定位置に予めピットとして記録するランドプリピット方式でもよい。
【産業上の利用可能性】
【００４６】
本発明は光ディスク上に記録された情報を読み出し、再生する光ディスク装置において、ＲＦ信号の劣化や、ディフェクト等によるＲＦ信号の乱れ、あるいは記録領域に挟まれた未記録領域が存在することによって生じる偽ＳＹＮＣ信号を効果的に除去することができ、良好な読み出しエラーレートを得ることができる光ディスク再生装置として利用される。
【図面の簡単な説明】
【００４７】
【図１】本発明の光ディスク装置の第１の実施の形態のブロック図である。
【図２】光ディスクの一例の部分拡大斜視図である。
【図３】ウォブル信号波形とアドレスとの関係の一例を示す図である。
【図４】図１中のＳＹＮＣパルス選択回路の動作説明用タイミングチャートである。
【図５】本発明の光ディスク装置の第２の実施の形態のブロック図である。
【図６】図３中のＳＹＮＣパルス選択回路の動作説明用タイミングチャートである。
【図７】従来の光ディスク装置の一例のブロック図である。
【符号の説明】
【００４８】
１、１３  ＡＤ変換回路
２  ＳＹＮＣ／ＤＡＴＡ検出回路
３  復調回路
４  ＳＲＡＭ制御回路
５、６、８  ＳＲＡＭ
７  データ整形回路
９  ＳＤＲＡＭ転送回路
１０  ＳＤＲＡＭＩＦ回路
１１、１４  アドレス検出回路
１２  エラー訂正回路
１５  マスク信号生成回路
１６、１７  ＳＹＮＣパルス選択回路
【図１】
2008071444.tif 000003
【図２】
2008071444.tif 000004
【図３】
2008071444.tif 000005
【図４】
2008071444.tif 000006
【図５】
2008071444.tif 000007
【図６】
2008071444.tif 000008
【図７】
2008071444.tif 000009